(57)【特許請求の範囲】
【請求項１】
硬貨入出金ユニットに搭載される硬貨補充装置において、
硬貨の補充不可の表示及び装置が稼働中であっても顧客の取引処理がないときや取引処理があっても硬貨を必要としないときに硬貨の補充可の表示を行う補充表示手段と、硬貨補充口と、補充硬貨一時集積部とを設けたことを特徴とする硬貨補充装置。
【請求項２】
請求項１において、
補充不可時に押下しても応答せず、補充可能時に硬貨補充口を開かせるための補充開閉スイッチと、補充可能時に補充開閉スイッチが押下されることにより硬貨補充口を開く開閉可能な補充口開閉プレートを設けたことを特徴とする硬貨補充装置。
【請求項３】
請求項１において、
補充硬貨一時集積部に、開閉可能な集積部開閉プレートと、補充硬貨一時集積部の一つの側壁から構成される可動プレートを設け、該可動プレートは集積部開閉プレートの開放時に上端側の支点を中心に回動可能となって硬貨の溜まりを防止することを特徴とする硬貨補充装置。
【発明の詳細な説明】
【０００１】
【発明の属する技術分野】
本発明は、ＡＴＭや自動券売機等に搭載されている硬貨入出金ユニットにおける硬貨補充装置に関する。
【０００２】
【従来の技術】
硬貨入出金ユニットは、運用中に硬貨の補充が必要となることが多々発生する。
その一般的な補充方法は、装填庫等の専用補充庫を用いて行うものであり、それは以下の手順によって行われる。
【０００３】
（１）装置の運用を停止させる。
（２）専用補充庫を硬貨入出金ユニットより抜き取る。
（３）専用補充庫に硬貨を補充する。
（４）専用補充庫を再び硬貨入出金ユニットに装填する。
（５）運用を再開する。
【０００４】
【発明が解決しようとする課題】
このように従来の硬貨の補充方法によると、補充に際して専用補充庫の着脱が伴うために、補充のたびに硬貨入出金ユニットの運用が停止されるという問題がある。
しかも、硬貨入出金ユニットにとって必要とされる硬貨補充は、大量補充ばかりではなく、少量補充も多くあるが、そのような場合でも、硬貨入出金ユニットの運用が停止されるという問題がある。
【０００５】
【課題を解決するための手段】
そこで本発明は、硬貨入出金ユニットに搭載される硬貨補充装置において、硬貨の補充不可の表示及び装置が稼働中であっても顧客の取引処理がないときや取引処理があっても硬貨を必要としないときに硬貨の補充可の表示を行う補充表示手段と、硬貨補充口と、補充硬貨一時集積部とを設けたことを特徴とする。
【０００６】
【発明の実施の形態】
以下に本発明の実施の形態例を図面を用いて説明する。
第１実施の形態例
図１は側面図、図２は図１のＡ−Ａ線断面図であり、図において、１は硬貨補充状態ランプであり、硬貨の補充不可／補充可を表示する補充表示手段である。
【０００７】
２は補充開閉スイッチであり、補充操作手段である。硬貨補充装置本体は補充硬貨投入部５０と補充硬貨一時集積部６０とに大きく分けられる。
なお、図において、上部、下部と分割しているが、これは図７、図８に使用例として示した硬貨入出金ユニットの扉構造に対応したものであり、ユニット側の配置スペースが許されれば一体構造型でもよい。
【０００８】
補充硬貨投入部５０は、硬貨補充口３の開閉を制御する部分であり、硬貨補充口３、補充口開閉プレート４、開閉ロックプレート５、ばね６、ソレノイド７、ばね８、開閉プレート開閉検知センサ９を有する。その補充口開閉機構を図３、図４に示す。なお、硬貨補充口３はどのような形状でもよく、図１３、図１４に示すような補充し易い受け皿形状にしてもよく、また、図１５、図１６に示すような硬貨補充口３とは独立した投入用受け皿３０を設けてもよい。
【０００９】
補充硬貨一時集積部６０は、硬貨補充装置を搭載したユニット側が補充硬貨収納可状態となるまでの間、ユニット側硬貨との混在を防ぐために、補充硬貨を一時集積させる部位であり、集積部開閉プレート１２、開閉ロックプレート１３、レノイド１４、開閉リンクプレート１５、ばね１６、開閉プレート開閉検知センサ１７を有する。その一時集積部の開閉機構を図５、図６に示す。
【００１０】
１８は補充硬貨投入のため、任意の位置に設けた検知センサである。
このような硬貨補充装置をＡＴＭ用硬貨入出金ユニットを搭載した場合の使用例を、図７、図８に示し、図９、図１０にその補充硬貨の収納経路を示す。
上記硬貨入出金ユニット１９は、下部繰り出し部２０、縦搬送部２１、水平搬送部２２、硬貨鑑査部２３、金種別硬貨収納部２４、オーバーフローボックス２５、硬貨入出金口２６、専用補充庫（装填庫）２７を有し、硬貨補充装置２８を搭載する。
【００１１】
つぎに、上記構成の作用を説明する。
まず、補充硬貨投入部５０の開閉動作について説明する。
ソレノイド７の無印加時には、ばね６の力により、補充口開閉プレート４は開閉ロックプレート５の一端で、回転中心近傍をおさえるため、ロック状態となる。
【００１２】
そこで、硬貨補充可能時、つまり、稼働中であっても、顧客の取引処理がないときや取引処理があっても硬貨を必要としないとき等に補充開閉スイッチ２を押すことにより、ソレノイド７に印加し、プランジャが引かれることで、開閉ロックプレート５が支点を中心に斜めに持ち上がる結果、補充口開閉プレート４に対するおさえが外れることでばね８の力によって補充口開閉プレート４は開く。
【００１３】
補充口開閉プレート４は、補充開閉スイッチ２を再度押す場合かまたは一定時間経過した場合にのみ、ソレノイド７にかかる印加をカットすることで、上記したロック状態に戻る。
補充口の開閉検知は補充口開閉プレート４の一端が開閉プレート検知センサ９のセンサ部を遮蔽することにより行う。
【００１４】
つぎに、補充硬貨一時集積部６０の動作について説明する。
補充硬貨は、硬貨入出金ユニット側で出金／入金／その他処理中の硬貨との混在を避けるため、硬貨補充装置の一時集積部に一旦集積させる。その一時集積部の開放機構を図５、図６に示す。
通常時は、集積部開閉プレート１２は開閉ロックプレート１３に持ち上げられる形で閉状態となる。
【００１５】
開閉ロックプレート１３はばね１６の力のかかった開閉リンクプレート１５にその動作を拘束させることで集積部開閉プレート１２に対しておさえの状態を保つ。
硬貨入出金ユニット側の上記したような補充硬貨収納可能時に、ソレノイド１４に印加することで、開閉リンクプレート１５が可動し、この開閉リンクプレート１５にリンクした開閉ロックプレート１３がその支点を中心に回転をする。
【００１６】
開閉ロックプレート１３のおさえがなくなった集積部開閉プレート１２は、その自重により支点を中心に回転することで一時集積部が開放する。
つぎに、ＡＴＭ用硬貨入出金ユニットにおける硬貨補充装置の使用例を図７、図８、図９、図１０を用いて説明する。
硬貨入出金ユニット１９における硬貨補充状態表示（不可／可能）はユニット補充状態ランプ１に表示させる。表示例としては”点灯”で補充不可、”消灯”で補充可能である。
【００１７】
補充口開閉スイッチ２は補充不可時におしても応答しないが、補充可能時にこれをおすことで硬貨補充口３を開かせる。
硬貨補充口３から投入した補充硬貨は自由落下により、硬貨補充装置２８の一時集積部に集積される。
硬貨入出金ユニット１９側で補充硬貨収納可となると、一時集積部の開閉プレート１２を開き、補充硬貨を下部繰り出し部２０に放出する。この放出された硬貨を下部繰り出し部２０から繰り出して縦搬送路２１、水平搬送路２２へ送り、硬貨鑑査部２３での補充硬貨の鑑査を経て、金種別硬貨収納部２４に収納させる。これが補充硬貨の収納経路である。
【００１８】
以上の実施の形態例によると、専用補充部とは独立した硬貨補充装置を設けることにより、稼働中であっても、顧客の取引処理がないときや取引処理があっても硬貨を必要としないとき等に補充を行うことができ、少量硬貨補充が容易に行うことができ、顧客に対するサービスの向上をはかることができる。
第２実施の形態例
本実施の形態例は、上記実施の形態例における放出硬貨の詰まりを防ぐための技術である。
【００１９】
第１実施の形態例における図１、図２において、集積可動プレート１０とその可動支点シャフト１１を設けた。
これにより、第１実施の形態例で説明した動作に加え、一時集積された補充硬貨を集積部開閉プレート１２を開にして放出する際に、一時集積部内で楔状等になって重なった補充硬貨の集積部内残留を防ぐため、図１１、図１２に示す如く、可動支点シャフト１１で回動する集積可動プレート１０が開閉プレート１２の開放時に自重により回動して硬貨が溜まるのを防いで放出を可能とする。
【００２０】
これによって、装置の信頼性が向上することになる。
以上各実施の形態例によって説明した硬貨補充装置は、上記で説明したＡＴＭ硬貨入出金ユニットばかりでなく、自動券売機等の硬貨補充の必要な自動機全般に使用されている硬貨入出金ユニットに対して利用することができる。
また、専用補充庫の着脱を伴わない硬貨補充装置は、その簡単な補充機構のため、複数の硬貨入出金ユニット間で現金管理を実現する現金リサイクル群管理システムのようなシステムで運用する硬貨入出金ユニットの硬貨補充装置として使用することもできる。
【００２１】
【発明の効果】
以上詳細に説明した本発明によると、硬貨入出金ユニットにおける専用補充庫に、硬貨の補充不可／補充可を表示する補充表示手段と、硬貨補充口と、補充硬貨一時集積部とを設けたことにより、稼働中であっても、顧客の取引処理がないときや取引処理があっても硬貨を必要としないとき等に補充を行うことができる効果を有する。
【００２２】
その結果、少量硬貨補充が容易に行うことができ、顧客に対するサービスの向上をはかることができる効果を有する。
【図面の簡単な説明】
【図１】実施の形態例を示す側面図
【図２】図１のＡ−Ａ断面図
【図３】補充口開閉プレート閉の状態の説明図
【図４】補充口開閉プレート開の状態の説明図
【図５】補充硬貨一時集積部閉の状態の説明図
【図６】補充硬貨一時集積部開の状態の説明図
【図７】硬貨補充装置を搭載したＡＴＭ用硬貨入出金ユニットの側面図
【図８】同正面図
【図９】補充硬貨収納経路の側面説明図
【図１０】補充硬貨収納経路の正面説明図
【図１１】第２実施の形態の要部説明図
【図１２】作動状態の説明図
【図１３】硬貨補充口の他の例の側面図
【図１４】図１３のＢーＢ断面図
【図１５】硬貨補充口の他の例の側面図
【図１６】同正面図
【符号の説明】
１  硬貨補充状態ランプ
２  補充開閉スイッチ
３  硬貨補充口
４  補充口開閉プレート
５  開閉ロックプレート
６  ばね
７  ソレノイド
８  ばね
９  開閉プレート開閉検知センサ
１０  集積可動プレート
１１  可動支点シャフト
１２  集積部開閉プレート
１３  開閉ロックプレート
１４  ソレノイド
１５  開閉リンクプレート
１６  ばね
１７  開閉プレート開閉検知センサ
１８  検知センサ
１９  硬貨入出金ユニット
２０  下部繰り出し部
２１  縦搬送路
２２  水平搬送路
２３  硬貨鑑査部
２４  金種別硬貨収納部
【図１】
0004479102.tif 000002
【図２】
0004479102.tif 000003
【図３】
0004479102.tif 000004
【図４】
0004479102.tif 000005
【図５】
0004479102.tif 000006
【図６】
0004479102.tif 000007
【図７】
0004479102.tif 000008
【図８】
0004479102.tif 000009
【図９】
0004479102.tif 000010
【図１０】
0004479102.tif 000011
【図１１】
0004479102.tif 000012
【図１２】
0004479102.tif 000013
【図１３】
0004479102.tif 000014
【図１４】
0004479102.tif 000015
【図１５】
0004479102.tif 000016
【図１６】
0004479102.tif 000017